(57)【要約】  内視鏡用リニアアクチュエータ４０は、磁性体から形成された移動枠４２と、移動枠４２が進退自在に内部に設けられ、非磁性体から形成された固定枠４３と、固定枠４３の外表面に巻回形成され、長手軸方向に並設された２つのコイル４４，４５と、２つのコイル４４，４５に重畳するように積層配置された永久磁石４６と、永久磁石４６および２つのコイル４４，４５の前後に配設された２つのヨーク４７，４８と、を具備する。
2019026445.tif 000002
【特許請求の範囲】
【請求項１】
撮像光学系と、
磁性体から形成され、前記撮像光学系を構成する少なくとも一つのレンズを保持する移動枠と、
前記移動枠が進退自在に内部に設けられ、非磁性体から形成された固定枠と、
前記固定枠の外表面に巻回形成され、長手軸方向に並設された２つのコイルと、
前記２つのコイルに重畳するように積層配置された永久磁石と、
前記永久磁石および前記２つのコイルの前後に配設された２つのヨークと、
を具備することを特徴とする内視鏡用リニアアクチュエータ。
【請求項２】
前記移動枠は、移動レンズを保持することを特徴とする請求項１に記載の内視鏡用リニアアクチュエータ。
【請求項３】
前記２つのコイルは、前記固定枠への巻回方向が同一方向であって、それぞれ個別に電流が供給される異なる回路に設けられていることを特徴とする請求項１に記載の内視鏡用リニアアクチュエータ。
【請求項４】
前記２つのコイルは、前記固定枠への巻回方向が逆向きであって、直列回路に設けられていることを特徴とする請求項１に記載の内視鏡用リニアアクチュエータ。
【請求項５】
前記永久磁石は、前記２つのコイルの全周を覆うように配設される筒状であることを特徴とする請求項１に記載の内視鏡用リニアアクチュエータ。
【請求項６】
前記永久磁石を２つ有し、
２つの前記永久磁石が前記撮像光学系の光軸に対して対称の位置に配設されていることを特徴とする請求項１に記載の内視鏡用リニアアクチュエータ。
【請求項７】
請求項１に記載の内視鏡用リニアアクチュエータを備えたことを特徴とする内視鏡用光学ユニット。
【請求項８】
請求項７に記載の内視鏡用光学ユニットが挿入部の先端部に配設されていることを特徴とする内視鏡。
【発明の詳細な説明】
【技術分野】
【０００１】
本発明は、電磁コイルと磁石による内視鏡用リニアアクチュエータ、内視鏡用光学ユニットおよび内視鏡に関する。
【背景技術】
【０００２】
従来、細長の挿入部を体腔内またはエンジンプラントなどに挿入することにより、体腔内臓器などや、エンジン内などを観察することが出来る内視鏡が広く用いられている。【０００３】
このような内視鏡には、対物光学系を有する光学ユニットが設けられている。内視鏡に設けられる光学ユニットは、主に挿入部の先端部に配設され、ズーム機能またはフォーカス機能のため、光学素子保持して、光軸方向に移動自在な可動枠を有している。この可動枠は、例えば、米国特許公開ＵＳ２０１０−０１２７５８０号公報に記載されるような、電磁コイルと磁石を備えたリニアアクチュエータによって進退駆動される技術が知られている。【０００４】
しかしながら、米国特許公開ＵＳ２０１０−０１２７５８０号公報のリニアアクチュエータは、２つの磁石とコイルを軸方向に並設した構成となっており、小型化、特に軸方向の短尺化が困難であるという問題がある。【０００５】
また、内視鏡は、被検体への挿入部の挿入性を向上させるために、硬質な先端部を短尺化することが要望されている。そのため、従来のリニアアクチュエータを利用した光学ユニットを内視鏡の先端部に設けた場合、先端部の短尺化を阻害する要因となっていた。なお、磁石の磁化方向を短くすると、磁石の極性を判別することが困難となってしまう。【０００６】
さらに、従来のリニアアクチュエータは、２つの磁石が撮影光軸に沿った着磁方向が相対する向きとなっており、反発し合い組立がし難いという課題もある。仮に、磁石の磁力を弱めると、移動枠を保持する磁力が低下し、所望の移動枠の安定的な駆動が行えなくなる。【０００７】
そこで、本発明の目的は、従来よりも短尺化して小型でき、組立性を向上させた内視鏡用リニアアクチュエータ、内視鏡用光学ユニットおよび内視鏡を提供することにある。
【発明の開示】
【課題を解決するための手段】
【０００８】
本発明の一態様に係る内視鏡用リニアアクチュエータは、撮像光学系と、磁性体から形成され、前記撮像光学系を構成する少なくとも一つのレンズを保持する移動枠と、前記移動枠が進退自在に内部に設けられ、非磁性体から形成された固定枠と、前記固定枠の外表面に巻回形成され、長手軸方向に並設された２つのコイルと、前記２つのコイルに重畳するように積層配置された永久磁石と、前記永久磁石および前記２つのコイルの前後に配設された２つのヨークと、を具備する。【０００９】
本発明の一態様に係る内視鏡用光学ユニットは、撮像光学系と、磁性体から形成され、前記撮像光学系を構成する少なくとも一つのレンズを保持する移動枠と、前記移動枠が進退自在に内部に設けられ、非磁性体から形成された固定枠と、前記固定枠の外表面に巻回形成され、長手軸方向に並設された２つのコイルと、前記２つのコイルに重畳するように積層配置された永久磁石と、前記永久磁石および前記２つのコイルの前後に配設された２つのヨークと、を有する内視鏡用リニアアクチュエータを備える。【００１０】
本発明の一態様に係る内視鏡は、撮像光学系と、磁性体から形成され、前記撮像光学系を構成する少なくとも一つのレンズを保持する移動枠と、前記移動枠が進退自在に内部に設けられ、非磁性体から形成された固定枠と、前記固定枠の外表面に巻回形成され、長手軸方向に並設された２つのコイルと、前記２つのコイルに重畳するように積層配置された永久磁石と、前記永久磁石および前記２つのコイルの前後に配設された２つのヨークと、を有する内視鏡用リニアアクチュエータを備える内視鏡用光学ユニットが挿入部の先端部に配設されている。
【図面の簡単な説明】
【００１１】
【図１】内視鏡の全体構成を示す斜視図
【図２】撮像装置と制御部を模式的に示す図
【図３】移動レンズユニットを示す分解斜視図
【図４】移動レンズユニットの外観を示す斜視図
【図５】移動レンズユニットを示す断面図
【図６】２つのコイルと制御部を模式的に示す図
【図７】移動枠が前方に移動した状態の移動レンズユニットを示す断面図
【図８】移動枠が後方に移動した状態の移動レンズユニットを示す断面図
【図９】第１の変形例の２つのコイルと制御部を模式的に示す図
【図１０】第１の変形例の移動枠が前方に移動した状態の移動レンズユニットを示す断面図
【図１１】第１の変形例の移動枠が後方に移動した状態の移動レンズユニットを示す断面図
【図１２】第２の変形例の移動レンズユニットの外観を示す斜視図
【図１３】第２の変形例の移動レンズユニットを示す断面図
【図１４】第３の変形例の移動レンズユニットの外観を示す斜視図
【図１５】第３の変形例の移動レンズユニットを示す断面図
【図１６】第４の変形例の移動レンズユニットの外観を示す斜視図
【図１７】第４の変形例の移動レンズユニットを示す断面図
【図１８】第５の変形例の移動レンズユニットの外観を示す斜視図
【図１９】第５の変形例の移動レンズユニットを示す断面図
【発明を実施するための最良の形態】
【００１２】
以下に、本発明の好ましい形態について図面を参照して説明する。  
なお、以下の説明に用いる各図においては、各構成要素を図面上で認識可能な程度の大きさとするため、構成要素毎に縮尺を異ならせてあるものであり、本発明は、これらの図に記載された構成要素の数量、構成要素の形状、構成要素の大きさの比率、および各構成要素の相対的な位置関係のみに限定されるものではない。また、以下の説明においては、図の紙面に向かって見た上下方向を構成要素の上部および下部として説明している場合がある。  
図１は、内視鏡の全体構成を示す斜視図、図２は撮像装置と制御部を模式的に示す図、図３は移動レンズユニットを示す分解斜視図、図４は移動レンズユニットの外観を示す斜視図、図５は移動レンズユニットを示す断面図、図６は２つのコイルと制御部を模式的に示す図、図７は移動枠が前方に移動した状態の移動レンズユニットを示す断面図、図８は移動枠が後方に移動した状態の移動レンズユニットを示す断面図である。【００１３】
先ず、図１を参照して、本発明に係る内視鏡の構成の一例を説明する。  
本実施形態の内視鏡システムとしての内視鏡１は、人体などの被検体内に導入可能であって被検体内の所定の観察部位を光学的に撮像する構成を有している。【００１４】
なお、内視鏡１が導入される被検体は、人体に限らず、他の生体であっても良いし、機械、建造物などの人工物であっても良い。【００１５】
内視鏡１は、被検体の内部に導入される挿入部２と、この挿入部２の基端に位置する操作部３と、この操作部３の側部から延出するユニバーサルコード４とで主に構成されている。【００１６】
挿入部２は、先端に配設される先端部１０、この先端部１０の基端側に配設される湾曲自在な湾曲部９およびこの湾曲部９の基端側に配設され操作部３の先端側に接続される可撓性を有する可撓管部８が連設されて構成されている。【００１７】
なお、内視鏡１は、挿入部２に可撓性を有する部位を具備しない、所謂硬性鏡と称される形態のものであってもよい。【００１８】
先端部１０には、撮像モジュールが内蔵された内視鏡用光学ユニットである撮像装置３０が設けられている。また、操作部３には、湾曲部９の湾曲を操作するためのアングル操作ノブ６が設けられている。【００１９】
ユニバーサルコード４の基端部には、外部装置２０に接続される内視鏡コネクタ５が設けられている。内視鏡コネクタ５が接続される外部装置２０は、モニタなどの画像表示部２１にケーブルを介して接続されている。【００２０】
また、内視鏡１は、ユニバーサルコード４、操作部３および挿入部２内に挿通された複合ケーブル１５および外部装置２０に設けられた光源部からの照明光を伝送する光ファイバ束（不図示）を有している。【００２１】
複合ケーブル１５は、内視鏡コネクタ５と撮像装置３０とを電気的に接続するように構成されている。内視鏡コネクタ５が外部装置２０に接続されることによって、撮像装置３０は、複合ケーブル１５を介して外部装置２０に電気的に接続される。【００２２】
この複合ケーブル１５を介して、外部装置２０から撮像装置３０への電流の供給および外部装置２０と撮像装置３０との間の通信が行われる。【００２３】
外部装置２０には、画像処理部２０ａが設けられている。この画像処理部２０ａは、撮像装置３０から出力された撮像素子出力信号に基づいて映像信号を生成し、画像表示部２１に出力する。即ち、本実施形態では、撮像装置３０により撮像された光学像（内視鏡像）が、映像として画像表示部２１に表示される。【００２４】
なお、内視鏡１は、外部装置２０または画像表示部２１に接続する構成に限定されず、例えば、画像処理部またはモニタの一部または全部を有する構成であっても良い。【００２５】
また、光ファイバ束は、外部装置２０の光源部から発せられた光を、先端部１０の照明光出射部としての照明窓まで伝送するように構成されている。さらに、光源部は、内視鏡１の操作部３または先端部１０に配設される構成であってもよい。【００２６】
図２に示すように、内視鏡用光学ユニットである撮像装置３０は、対物光学系３１と、内視鏡用リニアアクチュエータを構成する移動レンズユニット４０と、固体撮像素子３２と、を有している。【００２７】
対物光学系３１は、ここでは１つしか図示していないが、複数のレンズ群が構成されていてもよい。【００２８】
移動レンズユニット４０は、後述の移動レンズ４１を撮影光軸Ｏに沿って前後（Ｆ−Ｂ方向）に進退駆動するリニアアクチュエータが設けられている。なお、移動レンズユニット４０は、移動レンズ４１を進退駆動するリニアアクチュエータが制御部２２によって駆動制御されるものである。【００２９】
固体撮像素子３２は、非常に小型な電子部品であり、入射される光に応じた電気信号を所定のタイミングで出力する複数の素子が面状の受光部に配列されたものであり、例えば一般にＣＣＤ（電荷結合素子）、ＣＭＯＳ（相補型金属酸化膜半導体）センサなどと称される形式、あるいはその他の各種の形式が適用されている。【００３０】
図３から図５に示すように、移動レンズユニット４０は、移動レンズ４１と、この移動レンズ４１を保持する移動枠４２と、筒状の固定枠４３と、この固定枠４３の外周（外表面）に銅などの金属素線が巻回形成された２つの第１のコイル４４および第２のコイル４５と、これら２つの第１のコイル４４および第２のコイル４５の全周を覆うように配設される筒状の永久磁石４６と、第１のコイル４４、第２のコイル４５および永久磁石４６の前後を挟むように配設されるドーナッツ円盤状のヨーク４７，４８と、を有して構成されている。この移動レンズユニット４０は、図４に示すように、各種構成要素が組み付けられる。【００３１】
なお、固定枠４３の内部には、図５に示すように、移動レンズ４１を保持する移動枠４２の端面に当接して、移動枠４２の前後の移動を規制するストッパ４９ａ，４９ｂが配設されている。  
対物光学系３１と移動レンズ４１とから構成された撮像光学系は、被写体の光学像を形成する。なお、撮像光学系は、対物光学系３１と移動レンズ４１が分離された光学系に限定されるわけではない。撮像光学系すべてが移動レンズレンズユニット４０内に設けられる構成でもよい。【００３２】
移動枠４２およびヨーク４７，４８は、磁性体から形成されている。固定枠４３は、非磁性体から形成されている。ヨーク４７，４８が磁性体であるため、これらヨーク４７，４８が前後に設けられた第１のコイル４４および第２のコイル４５によって電磁石が構成される。なお、撮像光学系は、被写体の光学像を受光部へ形成する。【００３３】
第１のコイル４４および第２のコイル４５は、巻き方向が同一方向に設定され、図５に示すように、固定枠４３の外周表面に撮影光軸Ｏに沿った長手軸方向に並設し、隣接するように巻回形成されている。【００３４】
永久磁石４６は、第１のコイル４４および第２のコイル４５に重畳して積層するように配設される。永久磁石４６は、ここでは前方側となる先端側がＳ極に磁性され、後方側となる基端側がＮ極に磁性されている。【００３５】
また、第１のコイル４４および第２のコイル４５には、電流が供給されると、前方側となる先端側がＳ極に磁性され、後方側となる基端側がＮ極に磁性されるように巻回方向が規定されている。【００３６】
なお、ここでの第１のコイル４４および第２のコイル４５は、図６に示すように、個別に制御部２２から電流が供給される。即ち、第１のコイル４４および第２のコイル４５は、個別の２系統の電気回路によって制御部２２から電流供給される。【００３７】
以上のように構成された移動レンズユニット４０は、制御部２２から第１のコイル４４に電流が供給されて通電されると、図７に示すように、第１のコイル４４が磁化して前方側のヨーク４７の磁力が強まる。なお、この時の後方側のヨーク４８の磁力は、第１のコイル４４から離れているため、略変化しない。【００３８】
これにより、磁性体から形成された移動枠４２は、磁力が強まった前方側のヨーク４７からの引力によって引き寄せられて物体側の前方側（矢印Ｆ方向）に移動する。そして、移動枠４２は、前端がストッパ４９ａに当接して静止する。【００３９】
一方、移動レンズユニット４０は、制御部２２から第２のコイル４５に電流が供給されて通電されると、図８に示すように、第２のコイル４５が磁化して後方側のヨーク４８の磁力が強まる。なお、この時の前方側のヨーク４７の磁力は、第２のコイル４５から離れているため、略変化しない。【００４０】
これにより、磁性体から形成された移動枠４２は、磁力が強まった後方側のヨーク４８からの引力によって引き寄せられて像側の後方側（矢印Ｂ方向）に移動する。そして、移動枠４２は、後端がストッパ４９ｂに当接して静止する。【００４１】
以上に説明したように、本実施の形態の内視鏡用リニアアクチュエータである移動レンズユニット４０は、２つの第１のコイル４４および第２のコイル４５への通電を切り替えることで、移動レンズ４１を保持する移動枠４２を前後（Ｆ−Ｂ方向）に進退駆動する。【００４２】
なお、移動レンズユニット４０は、１つの永久磁石４６が軸方向に並設された第１のコイル４４および第２のコイル４５の外方に積層配置されており、撮影光軸Ｏに沿った軸方向を短尺化することができる。これにより、内視鏡用光学ユニットである撮像装置３０も短尺化することができる。【００４３】
さらに、内視鏡１は、挿入部２の硬質な先端部１０に撮像装置３０が内蔵されるため、先端部１０の短尺化もできる。【００４４】
移動レンズユニット４０は、永久磁石４６が複数でなく１つであるため、斥力による反発が生じないため、永久磁石４６の設置が容易であり、従来に比して組立がし易い構成となる。【００４５】
以上の説明から、従来よりも短尺化して小型でき、組立性を向上させた内視鏡用リニアアクチュエータである移動レンズユニット４０を構成することができる。そして、移動レンズユニット４０が内蔵される内視鏡用光学ユニットである撮像装置３０および、この撮像装置３０が内蔵される内視鏡１の先端部１０にも同様に従来よりも短尺化して小型できる。【００４６】
なお、移動レンズユニット４０は、近点観察および遠点観察を切り替えるズーム機能またはピント調整のためのフォーカス機能のため移動レンズ４１を前後に動かす構成である。【００４７】
また、移動レンズユニット４０に設けられるリニアアクチュエータの構成は、内視鏡の機能、例えば、湾曲部９を湾曲するための湾曲操作ワイヤを牽引弛緩するためのものや、側視／斜視内視鏡の先端部１０に設けられる処置具起上台を起伏させる操作ワイヤを牽引弛緩するためのものにも転用することができる。【００４８】
（変形例）
内視鏡用リニアアクチュエータである移動レンズユニット４０は、以下に例示する種々の変形例の構成としてもよい。  
（第１の変形例）
図９は、第１の変形例の２つのコイルと制御部を模式的に示す図、図１０は第１の変形例の移動枠が前方に移動した状態の移動レンズユニットを示す断面図、図１１は第１の変形例の移動枠が後方に移動した状態の移動レンズユニットを示す断面図である。【００４９】
ここでの第１のコイル４４および第２のコイル４５は、図９に示すように、１系統の直列に接続された電気回路によって制御部２２から電流供給される。そして、第１のコイル４４および第２のコイル４５は、それぞれの巻き方向が逆方向に設定されて固定枠４３の外周に並設するように巻回形成されている。【００５０】
また、第１のコイル４４および第２のコイル４５には、巻回方向が逆であるため、所定の方向の電流が供給されると、前方側となる先端側と後方側となる基端側のＳＮ極性が逆に磁性される。【００５１】
以上のように構成された移動レンズユニット４０は、制御部２２から第１のコイル４４および第２のコイル４５に所定の一方向の電流が供給されて通電されると、図１０に示すように、第１のコイル４４が永久磁石４６と同じ極性に磁化し、第２のコイルが永久磁石４６と逆の極性に磁化する。【００５２】
そのため、前方側のヨーク４７の磁力が強まり、永久磁石４６の後方側の磁力が打ち消されて後方側のヨーク４８の磁力が弱まる。【００５３】
これにより、磁性体から形成された移動枠４２は、磁力が強まった前方側のヨーク４７からの引力に加え、後方側のヨーク４８の磁力が弱まることで、前方側のヨーク４７に引き寄せられて物体側の前方側（矢印Ｆ方向）に移動する。そして、移動枠４２は、前端がストッパ４９ａに当接して静止する。【００５４】
一方、移動レンズユニット４０は、制御部２２から第１のコイル４４および第２のコイル４５に上記所定の一方向とは逆の他方向の電流が供給されて通電されると、図１１に示すように、第１のコイル４４が永久磁石４６と逆の極性に磁化し、第２のコイルが永久磁石４６と同じ極性に磁化する。【００５５】
そのため、永久磁石４６の前方側の磁力が打ち消されて前方側のヨーク４７の磁力が弱まり、後方側のヨーク４８の磁力が強まる。【００５６】
これにより、磁性体から形成された移動枠４２は、磁力が強まった後方側のヨーク４８からの引力に加え、前方側のヨーク４７の磁力が弱まることで、後方側のヨーク４８に引き寄せられて像側の後方側（矢印Ｂ方向）に移動する。そして、移動枠４２は、後端がストッパ４９ｂに当接して静止する。【００５７】
以上に説明したように、本変形例の内視鏡用リニアアクチュエータである移動レンズユニット４０は、第１のコイル４４および第２のコイル４５への通電方向を切り替えることで、移動レンズ４１を保持する移動枠４２を前後（Ｆ−Ｂ方向）に進退駆動する。【００５８】
このような構成としても、移動レンズユニット４０は、上述の作用効果が得られると共に、移動レンズ４１を保持する移動枠４２をより確実に前後に移動させることができる構成となる。【００５９】
なお、図６に示したような、第１のコイル４４および第２のコイル４５が異なる回路で制御部２２から個別に電流が供給される構成においては、第１のコイル４４を永久磁石４６と同じ極性に磁化し、第２のコイルを永久磁石４６と逆の極性に磁化するように制御部２２による通電制御を行うようにして、移動枠４２を物体側の前方側に移動するよう構成してもよい。【００６０】
そして、移動枠４２を像側の後方側に移動する場合、第１のコイル４４を永久磁石４６と逆の極性に磁化し、第２のコイルを永久磁石４６と同じ極性に磁化するように制御部２２による通電制御を行う。【００６１】
（第２の変形例）
図１２は、第２の変形例の移動レンズユニットの外観を示す斜視図、図１３は第２の変形例の移動レンズユニットを示す断面図である。【００６２】
図１２に示すように、移動レンズユニット４０は、板状の永久磁石５１，５２を第１のコイル４４および第２のコイル４５の、ここでは上下方向に積層された構成としてもよい。すなわち、永久磁石５１と永久磁石５２とは、光軸Ｏを対称軸とみなした時に、線対称に配置される。なお、ここでのヨーク４７，４８は、永久磁石５１，５２の形状に合わせて外形矩形状となっている。【００６３】
その他の構成は、上述の実施の形態と同じである。このような構成とすることで、移動レンズユニット４０は、より小型化することができる。【００６４】
（第３の変形例）
図１４は、第３の変形例の移動レンズユニットの外観を示す斜視図、図１５は第３の変形例の移動レンズユニットを示す断面図である。【００６５】
図１４および図１５に示すように、移動レンズユニット４０は、断面円弧状の２つの永久磁石５３，５４を第１のコイル４４および第２のコイル４５のここでは上下方向に積層された構成としてもよい。すなわち、永久磁石５１と永久磁石５２とは、光軸Ｏを対称軸とみなした時に、線対称に配置される。なお、ここでのヨーク４７，４８も、永久磁石５１，５２の形状に合わせたものとなっている。【００６６】
その他の構成は、上述の実施の形態と同じである。このような構成としても、移動レンズユニット４０は、より小型化することができる。【００６７】
（第４の変形例）
図１６は、第４の変形例の移動レンズユニットの外観を示す斜視図、図１７は第４の変形例の移動レンズユニットを示す断面図である。【００６８】
図１６および図１７に示すように、移動レンズユニット４０は、断面円弧状の１つの永久磁石５３を第１のコイル４４および第２のコイル４５の上部に積層した構成としてもよい。【００６９】
その他の構成は、上述の実施の形態と同じである。このような構成とすることで、移動レンズユニット４０は、さらに小型化することができる。【００７０】
（第５の変形例）
図１８は、第５の変形例の移動レンズユニットの外観を示す斜視図、図１９は第５の変形例の移動レンズユニットを示す断面図である。【００７１】
図１８および図１９に示すように、移動レンズユニット４０は、断面略半円状の１つの永久磁石５５を第１のコイル４４および第２のコイル４５の上部側から積層した構成としてもよい。【００７２】
その他の構成は、上述の実施の形態と同じである。このような構成としても、移動レンズユニット４０を小型化することができる。【００７３】
なお、本実施の形態では、軟性内視鏡を例示しているが、これに限定されることなく、外科用の硬性内視鏡、工業用内視鏡にも適用することができる技術である。【００７４】
以上の実施の形態に記載した発明は、上記実施の形態に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得るものである。【００７５】
例えば、実施の形態に示される全構成要件から幾つかの構成要件が削除されても、述べられている課題が解決でき、述べられている効果が得られる場合には、この構成要件が削除された構成が発明として抽出され得るものである。【００７６】
本発明によれば、従来よりも短尺化して小型でき、組立性を向上させた内視鏡用リニアアクチュエータ、内視鏡用光学ユニットおよび内視鏡を提供することができる。【００７７】
本出願は、２０１７年８月４日に日本国に出願された特願２０１７−１５１５６４号を優先権主張の基礎として出願するものであり、上記の開示内容は、本願明細書、請求の範囲に引用されるものとする。
【図１】
2019026445.tif 000003
【図２】
2019026445.tif 000004
【図３】
2019026445.tif 000005
【図４】
2019026445.tif 000006
【図５】
2019026445.tif 000007
【図６】
2019026445.tif 000008
【図７】
2019026445.tif 000009
【図８】
2019026445.tif 000010
【図９】
2019026445.tif 000011
【図１０】
2019026445.tif 000012
【図１１】
2019026445.tif 000013
【図１２】
2019026445.tif 000014
【図１３】
2019026445.tif 000015
【図１４】
2019026445.tif 000016
【図１５】
2019026445.tif 000017
【図１６】
2019026445.tif 000018
【図１７】
2019026445.tif 000019
【図１８】
2019026445.tif 000020
【図１９】
2019026445.tif 000021
【手続補正書】
【提出日】令和1年12月11日(2019.12.11)
【手続補正１】
【補正対象書類名】明細書
【補正対象項目名】０００８
【補正方法】変更
【補正の内容】
【０００８】
本発明の一態様に係る内視鏡用リニアアクチュエータは、磁性体から形成され、レンズを保持する移動枠と、前記移動枠が進退自在に内部に設けられ、非磁性体から形成された固定枠と、前記固定枠の外表面に巻回形成され、長手軸方向に並設された２つのコイルと、前記２つのコイルに重畳するように積層配置された永久磁石と、前記永久磁石および前記２つのコイルの前後に配設された２つのヨークと、を具備する。
【手続補正２】
【補正対象書類名】明細書
【補正対象項目名】０００９
【補正方法】変更
【補正の内容】
【０００９】
本発明の一態様に係る内視鏡用光学ユニットは、磁性体から形成され、レンズを保持する移動枠と、前記移動枠が進退自在に内部に設けられ、非磁性体から形成された固定枠と、前記固定枠の外表面に巻回形成され、長手軸方向に並設された２つのコイルと、前記２つのコイルに重畳するように積層配置された永久磁石と、前記永久磁石および前記２つのコイルの前後に配設された２つのヨークと、を有する内視鏡用リニアアクチュエータを備える。
【手続補正３】
【補正対象書類名】明細書
【補正対象項目名】００１０
【補正方法】変更
【補正の内容】
【００１０】
本発明の一態様に係る内視鏡は、磁性体から形成され、レンズを保持する移動枠と、前記移動枠が進退自在に内部に設けられ、非磁性体から形成された固定枠と、前記固定枠の外表面に巻回形成され、長手軸方向に並設された２つのコイルと、前記２つのコイルに重畳するように積層配置された永久磁石と、前記永久磁石および前記２つのコイルの前後に配設された２つのヨークと、を有する内視鏡用リニアアクチュエータを備える内視鏡用光学ユニットが挿入部の先端部に配設されている。
【手続補正４】
【補正対象書類名】特許請求の範囲
【補正対象項目名】全文
【補正方法】変更
【補正の内容】
【特許請求の範囲】
【請求項１】
磁性体から形成され、レンズを保持する移動枠と、
前記移動枠が進退自在に内部に設けられ、非磁性体から形成された固定枠と、
前記固定枠の外表面に巻回形成され、長手軸方向に並設された２つのコイルと、
前記２つのコイルに重畳するように積層配置された永久磁石と、
前記永久磁石および前記２つのコイルの前後に配設された２つのヨークと、
を具備することを特徴とする内視鏡用リニアアクチュエータ。
【請求項２】
前記移動枠は、光学系を構成する移動レンズを保持することを特徴とする請求項１に記載の内視鏡用リニアアクチュエータ。
【請求項３】
前記２つのコイルは、前記固定枠への巻回方向が同一方向であって、それぞれ個別に電流が供給される異なる回路に設けられていることを特徴とする請求項１に記載の内視鏡用リニアアクチュエータ。
【請求項４】
前記２つのコイルは、前記固定枠への巻回方向が逆向きであって、直列回路に設けられていることを特徴とする請求項１に記載の内視鏡用リニアアクチュエータ。
【請求項５】
前記永久磁石は、前記２つのコイルの全周を覆うように配設される筒状であることを特徴とする請求項１に記載の内視鏡用リニアアクチュエータ。
【請求項６】
前記永久磁石を２つ有し、
２つの前記永久磁石が前記レンズの光軸に対して対称の位置に配設されていることを特徴とする請求項１に記載の内視鏡用リニアアクチュエータ。
【請求項７】
請求項１に記載の内視鏡用リニアアクチュエータを備えたことを特徴とする内視鏡用光学ユニット。
【請求項８】
請求項７に記載の内視鏡用光学ユニットが挿入部の先端部に配設されていることを特徴とする内視鏡。
【国際調査報告】
2019026445.tif 000022
2019026445.tif 000023